(57)【要約】【課題】  アンカーボルトにひずみが生じた後でも、剛性の低下を抑制でき、しかも空間に余裕がない場合でも組み込み可能な柱脚金物用の拘束具を提供すること。【解決手段】  柱脚金物２１は、基礎コンクリート４１に載置される底板２３と、柱５１の下面を受け止める天板２５が空間を隔てて配置され、且つアンカーボルト４２で固定されることを前提とする。そして拘束具は、アンカーボルト４２先端と天板２５との間に配置する押圧体１１と、アンカーボルト４２の最先端に螺合させる副ナット１９と、で構成する。アンカーボルト４２に螺合させた副ナット１９を上方に移動させると、押圧体１１は、天板２５に密着して、アンカーボルト４２の先端部を押し下げる。そのためアンカーボルト４２にひずみが生じた後も、柱脚金物２１の緩みを防止でき、剛性の低下も抑制できる。また押圧体１１は、水平移動だけで簡単に組み込み可能である。【選択図】      図１
2014185497.tif 000002
【特許請求の範囲】
【請求項１】
柱脚金物（２１又は２２）に組み込まれる拘束具であって、
該柱脚金物（２１又は２２）は、基礎コンクリート（４１）の上面に載置される底板（２３）と、柱（５１）の下面を受け止める天板（２５）と、が空間を隔てて配置され、且つアンカーボルト（４２）で固定され、
前記拘束具は、前記アンカーボルト（４２）の先端と前記天板（２５）の下面との間に配置する押圧体（１１又は１２）と、該アンカーボルト（４２）の最先端に螺合させる副ナット（１９）と、からなり、
前記アンカーボルト（４２）に螺合させた前記副ナット（１９）を上方に移動させることで、前記押圧体（１１又は１２）は、前記天板（２５）に密着し、
前記押圧体（１１又は１２）の下面には、前記副ナット（１９）の内部に入り込む突起（１５）を設けたことを特徴とする柱脚金物用の拘束具。
【請求項２】
前記押圧体（１１又は１２）の上面には、前記柱（５１）を連結する柱用ボルト（３８）の頭部を収容するための凹部（１３）を設け、該凹部（１３）の底面は、該柱用ボルト（３８）の頭部端面に接触することを特徴とする請求項１に記載した柱脚金物用の拘束具。
【請求項３】
前記凹部（１３）の側面には、前記柱用ボルト（３８）の頭部を通過させることのできる窓（１４）を設けたことを特徴とする請求項２に記載した柱脚金物用の拘束具。
【発明の詳細な説明】
【技術分野】
【０００１】
本発明は、建築物の基礎コンクリートに埋め込まれたアンカーボルトにひずみが生じた後でも、剛性の低下を抑制できる柱脚金物用の拘束具に関する。
【背景技術】
【０００２】
各種建築物は、地震や強風に耐え抜く必要があり、木造軸組構法では、柱の浮き上がりを防止するため、ホールダウン金物を用いて、柱を基礎に引き寄せている。また大断面の木材を用いた門型ラーメン構法では、柱脚金物を用いて、柱を基礎に据え付けることが多い。柱脚金物は、基礎と柱を連結する役割を担い、アンカーボルトで基礎に固定され、さらに複数のボルトやナットで柱を固定する。この柱脚金物に関して、本願発明と関連のある特許文献を以下に示す。
【０００３】
特許文献１では、ボルト類が塑性変形した後も、締結部の強度を維持可能な締結具が開示されている。この文献の図１では、柱を基礎に据え付けるため、基礎と柱の間に箱状の金具を挟み込んでおり、金具から柱に向けて長尺の締結ボルトを差し込んでいる。この箱状の金具は、柱脚金物に相当するもので、過大な引張荷重で締結ボルトが塑性変形した後に備えて、締結ボルトの頭部を拘束する押圧具を組み込んでいる。この押圧具により、締結ボルトの緩みを防止でき、地震に遭遇した場合でも、揺れが収束するまでの間、柱の剛性を維持できるほか、締結ボルトの弾塑性変形が繰り返され、多くのエネルギーを吸収できる。
【０００４】
特許文献２では、施工作業性の向上などを目的とした建築用柱脚金物が開示されている。この柱脚金物は、「ロ」字形断面で、その下面部がコンクリート基礎に接触して、上面部が柱に接触する。さらに下面部の中央にはアンカーボルトが差し込まれ、その真上には、柱脚金物と柱を連結するホゾパイプが差し込まれている。そしてアンカーボルトの先端には、ナットと平座金を一体化した調節器を螺合させて、その上面をホゾパイプに圧接させている。そのため柱は、柱脚金物のほか、アンカーボルトでも支持される。
【先行技術文献】
【特許文献】
【０００５】
【特許文献１】特開２０１１−２４７０２９号公報
【特許文献２】特開平１０−８８６５７号公報
【発明の概要】
【発明が解決しようとする課題】
【０００６】
柱脚金物を固定するために用いるアンカーボルトは、比較的断面径が大きく、しかも大半が基礎コンクリートに埋め込まれており、地震時においても、ほとんど変形することはないと考えられていた。しかし実際には、アンカーボルトと基礎コンクリートとの境界面に滑りが生じて、アンカーボルトが塑性変形する場合もあることが判明した。このような事態に陥ると、柱脚金物に緩みが生じてしまい、柱の剛性が低下して、建築物の安全性を維持できなくなる。
【０００７】
特許文献１で開示されている技術は、箱状の金具（柱脚金物）と柱を連結する締結ボルトの塑性変形に対応したもので、アンカーボルトの塑性変形については、全く想定されていない。またこの文献中の押圧具は、あくまでも締結ボルトの頭部を拘束するもので、アンカーボルトの先端を拘束することはできない。次に特許文献２では、柱とアンカーボルトとの間に調整器が挟み込まれており、アンカーボルトが塑性変形した場合でも、柱脚金物に緩みを生じることはない。ただし、結露の抑制や剛性の確保や美観などの観点から、柱脚金物はできるだけ小形化することが多く、この文献のような調整器では、組み込みなどが難しい事態も予想される。
【０００８】
本発明はこうした実情を基に開発されたもので、アンカーボルトにひずみが生じた後でも、剛性の低下を抑制でき、しかも空間に余裕がない場合でも組み込み可能な柱脚金物用の拘束具の提供を目的としている。
【課題を解決するための手段】
【０００９】
前記の課題を解決するための請求項１記載の発明は、柱脚金物に組み込まれる拘束具であって、該柱脚金物は、基礎コンクリートの上面に載置される底板と、柱の下面を受け止める天板と、が空間を隔てて配置され、且つアンカーボルトで固定され、前記拘束具は、前記アンカーボルトの先端と前記天板の下面との間に配置する押圧体と、該アンカーボルトの最先端に螺合させる副ナットと、からなり、前記アンカーボルトに螺合させた前記副ナットを上方に移動させることで、前記押圧体は、前記天板に密着し、前記押圧体の下面には、前記副ナットの内部に入り込む突起を設けたことを特徴とする柱脚金物用の拘束具である。
【００１０】
本発明は、木製の柱を据え付けるために用いる柱脚金物に組み込まれ、アンカーボルトのひずみによる柱脚金物の緩みを防止する機能を有し、押圧体と副ナットで構成される。なお柱脚金物は、基礎コンクリートの上面と直に接触する底板と、柱の下面と直に接触する天板と、が一定の距離を隔てて平行に配置され、その間にボルトの頭部やナットなどを配置することを前提としている。ただし柱脚金物の基本形状は、底板と天板を中央だけでつなぐＨ状や、底板と天板の端部同士をつなぐ箱状など、自在である。
【００１１】
アンカーボルトは、柱脚金物を固定するためのもので、その大半は基礎コンクリートに埋め込まれており、上端だけが外部に突出する。また柱脚金物の底板には、アンカーボルトを差し込むための抜き孔を設ける。当然ながらアンカーボルトと抜き孔は、同心に揃うよう配慮する。なお一個の柱脚金物は、安定性を確保するため、複数のアンカーボルトで固定することが多い。施工時は、まずアンカーボルトを抜き孔に差し込み、その先端に主ナットを螺合させて締め付け、底板を基礎コンクリートに密着させる。
【００１２】
拘束具は、押圧体と副ナットで構成され、そのうち押圧体は、アンカーボルトの先端面と柱脚金物の天板下面との間に配置して、アンカーボルトの先端部を押し下げる役割を担う。なお押圧体の全長は、対向する両面の距離よりも短くして、押圧体を無理なくアンカーボルトの真上に配置できるものとする。さらに押圧体は、アンカーボルトを押し下げることから、十分な強度を確保する。
【００１３】
副ナットは、前記の主ナットと同様、アンカーボルトに螺合させるが、主ナットよりも先端側に配置して、押圧体を固定する役割を担う。押圧体は、アンカーボルトと天板との間に配置するが、単独では安定性に乏しい。そこで、押圧体の下部を副ナットに接触させて、副ナットと天板で押圧体を挟み込む。そのため押圧体は、アンカーボルトとは非接触で、双方の間に副ナットが介在しており、実際には、押圧体から副ナットを経てアンカーボルトを押し下げる。
【００１４】
施工時は、まず柱の下面に柱脚金物を取り付け、次に柱を吊り上げ、アンカーボルトを抜き孔に差し込み、柱を基礎コンクリートの上面に仮置きして、さらに主ナットをアンカーボルトに螺合させて、柱を据え付ける。その後、アンカーボルトに副ナットを螺合させて、副ナットの上面からアンカーボルトを突出させる。引き続き、アンカーボルトと天板との間に押圧体を配置して、副ナットを上方に移動させると、押圧体は、副ナットと天板に挟み込まれ、強固に保持される。なお、締め付けを終えた副ナットは、押圧体と接触するため、わずかではあるが、アンカーボルトの先端よりも上に位置する。
【００１５】
突起は、押圧体の下面中央に形成される局地的な凸部で、これが副ナット中心のメネジの中に入り込むことで、押圧体の移動を規制する。そのため、柱脚金物が過大な外力を受けた場合でも、押圧体の脱落を防止できるほか、施工時においても、不意の脱落を防止でき、作業性の向上に貢献する。なお突起は、副ナットの中に入り込めばよいため、その横断面は、円形のほか角形でも構わない。さらに副ナットとの兼ね合いから、突起の高さは抑制気味にする。
【００１６】
押圧体の全長は、前記のように、アンカーボルトと天板との隙間に入り込める程度に抑制する。そのため、柱を基礎コンクリートに据え付けた後、押圧体を柱脚金物の中に配置する際は、押圧体をほぼ水平方向に移動させるだけでよく、柱脚金物の内空間に余裕がない場合でも、無理なく作業を実施できる。
【００１７】
このように、押圧体と副ナットからなる拘束具を柱脚金物に組み込むことで、過大な引張荷重でアンカーボルトにひずみが生じた後も、アンカーボルトの先端部を拘束具で押し下げ、主ナットと柱脚金物との密着が維持される。そのため、アンカーボルトと柱脚金物との緩みを防止でき、地震に遭遇した場合には、揺れが収束するまでの間、アンカーボルトの弾塑性変形が強制的に繰り返され、多くのエネルギーを吸収できる。
【００１８】
請求項２記載の発明は、押圧体の形状を限定するもので、押圧体の上面には、柱を連結する柱用ボルトの頭部を収容するための凹部を設け、該凹部の底面は、該柱用ボルトの頭部端面に接触することを特徴とする。柱用ボルトは、柱脚金物と柱を連結するためのもので、天板の下面から柱の下部に差し込む。また、アンカーボルトと柱用ボルトは、ほぼ同心に揃うことを前提とする。なお柱の下部には、柱用ボルトとの螺合のため、メネジを形成されたラグスクリューや異形棒鋼などを埋め込む。
【００１９】
アンカーボルトと柱用ボルトをほぼ同心で配置した場合、押圧体と柱用ボルトとの干渉が避けられない。そこで押圧体の上面の中央に凹部を設けて、その中に柱用ボルトの頭部を収容することで、この干渉を回避する。さらに凹部の底面は、柱用ボルトの頭部と接触できるよう、各部の形状を調整する。これにより、柱用ボルトの頭部の緩みも防止でき、基礎コンクリートと柱が強固に連結され、地震に遭遇した場合でも、剛性の低下を抑制できる。しかも、アンカーボルトと柱用ボルトの双方を弾塑性変形させることで、より多くのエネルギーを吸収できる。
【００２０】
請求項３記載の発明は、押圧体の形状をより一段と限定するもので、凹部の側面には、柱用ボルトの頭部を通過させることのできる窓を設けたことを特徴とする。アンカーボルトと柱用ボルトがほぼ同心で並び、且つ柱脚金物の内空間が狭い場合、押圧体をほぼ水平方向に移動させて、所定の位置に組み込むことがある。本発明は、このような状況を考慮したもので、凹部を取り囲む側面には、柱用ボルトの頭部を通過させるための窓を設ける。窓は、凹部の側面の一部を切り欠いて外部に開放させた部位で、その幅は、当然ながら柱用ボルトの頭部の直径よりも大きくするが、強度確保や脱落防止のため、必要以上には大きくしない。
【発明の効果】
【００２１】
請求項１記載の発明のように、押圧体と副ナットで構成される拘束具を柱脚金物の内空間に組み込み、アンカーボルトの先端部を強制的に押し下げることで、過大な引張荷重でアンカーボルトにひずみが生じた後も、アンカーボルトと柱脚金物に緩みが生じることはなく、柱下部の剛性低下を抑制できる。さらに、大規模な地震に遭遇した場合、揺れが収束するまでの間、アンカーボルトの弾塑性変形が繰り返され、多くのエネルギーを吸収して、建築物の安全性を一段と向上できる。
【００２２】
また押圧体の全長は、アンカーボルトと天板との隙間に入り込める程度に抑制してある。そのため、押圧体を柱脚金物に組み込む際は、押圧体をほぼ水平方向に移動させた後、副ナットを回転させて、押圧体を固定すればよく、柱脚金物の内空間に余裕がない場合でも、問題は生じない。なお押圧体の下面中央には突起を設けてあり、これを副ナットの中に差し入れることで、押圧体の移動を規制できる。そのため、柱脚金物が過大な外力を受けた場合でも、押圧体の脱落を防止できるほか、施工時においても、不意の脱落を防止でき、作業性の向上に貢献する。
【００２３】
請求項２記載の発明のように、押圧体の上面に凹部を設けることで、アンカーボルトと柱用ボルトがほぼ同心で並ぶ構造においても、柱用ボルトの頭部を凹部に収容することで、無理なく押圧体を配置できる。また、過大な荷重で柱用ボルトにひずみが生じた後でも、柱脚金物と柱との緩みを防止でき、柱をより強固に据え付けることができる。
【００２４】
請求項３記載の発明のように、押圧体の凹部側面には、外部と連通する窓を設けることで、施工時、押圧体を水平方向に移動させて、所定の位置に組み込むことができる。そのため、柱脚金物の内空間に余裕のない場合でも、本発明による拘束具を無理なく使用できる。
【図面の簡単な説明】
【００２５】
【図１】本発明による拘束具の形状例と、その使用状態を示す斜視図である。
【図２】図１の柱を据え付けていく過程を示す斜視図である。なお柱脚金物と柱は、内部構造を把握できるよう、ラグスクリューなどの中心を切断線とした縦断面図としている。
【図３】図２の後、押圧体と副ナットで構成される拘束具を組み込む過程を示す斜視図である。
【図４】図１の柱を据え付けていく過程を示す縦断面図である。
【図５】図１の柱を据え付けた後、引張荷重でアンカーボルトなどにひずみが生じた場合を示す縦断面図である。
【図６】図１とは異なる拘束具の形状と、その使用状態を示す斜視図である。
【図７】図６の柱を据え付けていく過程を示す斜視図である。なお柱脚金物と柱は、内部構造を把握できるよう、ラグスクリューなどの中心を切断線とした縦断面図としている。
【発明を実施するための形態】
【００２６】
図１は、本発明による拘束具の形状例と、その使用状態を示している。この図では、長方形断面の柱５１の下部を基礎コンクリート４１に据え付けるため、箱形の柱脚金物２１を使用しており、柱脚金物２１の内部に拘束具を配置する。基礎コンクリート４１は、建築物の外縁などに沿って壁状に打設され、その上面は水平に仕上げる。また基礎コンクリート４１の内部には、建築物を固定するためのアンカーボルト４２を垂直方向に埋め込み、その上端部だけが外に露出する。そのほか柱５１は、集成材を含む木製である。
【００２７】
柱脚金物２１は、底板２３と直立板２４と天板２５の計四枚の鋼板を溶接で一体化したもので、底板２３は基礎コンクリート４１の上面に接触する部位で、天板２５は柱５１の下面に接触する部位で、左右の直立板２４は、底板２３と天板２５を連結する。そのため底板２３と天板２５との間は、空洞になる。また底板２３には、アンカーボルト４２を差し込むため、二箇所に抜き孔２６を設けてある。アンカーボルト４２は、位置誤差を生じやすいため、抜き孔２６の直径はやや大きくしている。
【００２８】
抜き孔２６から突出するアンカーボルト４２の先端には、大ワッシャ４３と小ワッシャ４４を差し込み、次に、主ナット４５を螺合させて締め付けると、柱脚金物２１は、基礎コンクリート４１に固定される。大ワッシャ４３は、抜き孔２６を塞ぐため直径を大きくしてあり、さらにアンカーボルト４２の位置誤差を吸収できるよう、内部を長円形に切り抜いてある。対して小ワッシャ４４は汎用品である。
【００２９】
柱５１は、柱脚金物２１の上面に据え付けられる。そのため柱５１の下面には、ラグスクリュー３１をねじ込み、さらに、天板２５からラグスクリュー３１に向けて、柱用ボルト３８を差し込む。ラグスクリュー３１は円柱状の金属棒で、その側周面には螺旋状に伸びる凸条３３を形成してあるほか、下部には工具を掛けるための六角部３５を形成してあり、また下面中心には柱用ボルト３８と螺合するメネジ３４を形成してある。なおラグスクリュー３１は大径のため、ねじ込みに先立ち、柱５１の下面から伸びる下穴５２を加工しておく。この図では、柱５１の左右二箇所にラグスクリュー３１をねじ込んでいる。
【００３０】
柱用ボルト３８を差し込むため、天板２５の左右二箇所には、丸孔２７を設けてある。また、アンカーボルト４２と柱用ボルト３８は、左右いずれもほぼ同心に揃えてある。そのほか、柱脚金物２１を基礎コンクリート４１に載せた際、アンカーボルト４２の先端が天板２５に接触することはない。
【００３１】
拘束具は、押圧体１１と副ナット１９の二要素からなり、副ナット１９は、アンカーボルト４２に螺合させるが、主ナット４５よりも先端側に位置する。また押圧体１１は、アンカーボルト４２の先端と天板２５の下面との間に配置して、さらに副ナット１９で天板２５に押し付けられる。なお押圧体１１の真上には、柱用ボルト３８の頭部が存在する。そのため押圧体１１の上面には、外縁以外をくり抜いた凹部１３を形成して、その中に柱用ボルト３８の頭部を収容する。
【００３２】
凹部１３は、単に柱用ボルト３８の頭部を収容するだけではなく、頭部端面と凹部１３底面が接触するよう、各部の寸法を調整してある。そのため、柱用ボルト３８が過大な荷重で塑性変形した後も、その頭部は緩むことなく天板２５との接触を維持する。そのほか凹部１３の側面の一部には、切り欠き状の窓１４を設けてある。窓１４は、押圧体１１を組み込む際、柱用ボルト３８の頭部を通過させるための役割を有する。したがって窓１４は、必要最低限の大きさとする。
【００３３】
図２は、図１の柱５１を据え付けていく過程を示している。なお柱脚金物２１と柱５１は、内部構造を把握できるよう、ラグスクリュー３１などの中心を切断線とした縦断面図としている。施工時は、まず図の右上に描くように、柱５１の下穴５２にラグスクリュー３１をねじ込んでいき、ラグスクリュー３１と柱５１の下面を段差なく揃える。次に、柱５１の下面に柱脚金物２１の天板２５を接触させて、さらに天板２５の下方からラグスクリュー３１に向けて柱用ボルト３８を差し込んで締め付けると、柱脚金物２１と柱５１が一体化する。その後、柱５１を吊り上げ、底板２３の抜き孔２６にアンカーボルト４２を差し込み、柱５１を基礎コンクリート４１の上面に仮置きする。
【００３４】
引き続き、アンカーボルト４２の先端に大ワッシャ４３と小ワッシャ４４を差し込み、さらに主ナット４５を螺合させて締め付けると、図の左下に描くように、柱脚金物２１が基礎コンクリート４１に固定され、柱５１の据え付けが完了する。この際、アンカーボルト４２と柱用ボルト３８は、ほぼ同心で並ぶが接触することはなく、ある程度の隙間が確保されている。
【００３５】
図３は、図２の後、押圧体１１と副ナット１９で構成される拘束具を組み込む過程を示している。図の右上に描くように、まずアンカーボルト４２の先端に副ナット１９を螺合させる。副ナット１９は、主ナット４５と接触させる必要はなく、アンカーボルト４２の先端が露出する程度まで、ねじ込みを続ける。その後、柱脚金物２１の側方から押圧体１１を水平方向に移動させて、柱用ボルト３８の頭部を窓１４から凹部１３内に収容する。
【００３６】
次に、副ナット１９を回転させて上方に移動させると、やがて図の左下に描くように、押圧体１１は、副ナット１９と天板２５で挟み込まれ、脱落不能になる。同時に、押圧体１１と副ナット１９を介してアンカーボルト４２が押し下げられる。そのためアンカーボルト４２にひずみが生じた場合でも、大ワッシャと４３と底板２３は密着状態を維持して、柱脚金物２１の緩みを防止できる。なお押圧体１１の突起１５は、副ナット１９の中心に入り込んでおり、押圧体１１の脱落を防止する。
【００３７】
図４は、図１の柱５１を据え付けていく過程を縦断面で示している。柱５１にラグスクリュー３１をねじ込み、さらに天板２５からラグスクリュー３１のメネジ３４に向けて柱用ボルト３８を差し込み、締め付けると、柱脚金物２１が柱５１に固定される。その後、図の上方に描くように、底板２３の抜き孔２６にアンカーボルト４２を差し込み、柱５１を基礎コンクリート４１の上面に仮置きする。最後に、アンカーボルト４２に大ワッシャ４３と小ワッシャ４４を差し込み、引き続き、主ナット４５を螺合させて締め付けると、柱５１の据え付けが完了する。
【００３８】
その後、図の下方に描くように、アンカーボルト４２に副ナット１９を螺合させて、ある程度の深さまでねじ込んだ後、柱用ボルト３８の頭部を覆い隠すように押圧体１１を組み込む。さらに、突起１５をアンカーボルト４２と同心に揃えてから、副ナット１９を回転させて上方に移動させると、押圧体１１は、アンカーボルト４２と天板２５を押し広げるように固定される。そのためアンカーボルト４２の先端面は、これ以上、天板２５に向けて突出することができず、仮にアンカーボルト４２にひずみが生じた場合でも、底板２３と大ワッシャ４３の密着が維持され、柱脚金物２１に緩みが生じることはない。
【００３９】
図５は、図１の柱５１を据え付けた後、引張荷重でアンカーボルト４２などにひずみが生じた場合を示している。過大な荷重が柱５１を持ち上げる方向に作用した場合、図の上方に描くように、基礎コンクリート４１の上部では、アンカーボルト４２との境界面に滑りが生じて、アンカーボルト４２が細長く塑性変形してしまい、柱脚金物２１が浮き上がる。さらに、柱脚金物２１と柱５１を連結する柱用ボルト３８についても、微小なひずみを生じる。ただしアンカーボルト４２は、基礎コンクリート４１中の鉄筋と連結されており、この状態でも引き抜かれてしまうことはない。
【００４０】
この図のように、アンカーボルト４２や柱用ボルト３８にひずみが生じた場合でも、押圧体１１と副ナット１９により、アンカーボルト４２と柱脚金物２１に緩みは生じない。同様に、柱用ボルト３８と柱脚金物２１にも緩みは生じない。そのため、このような過酷な状況においても、基礎コンクリート４１と柱脚金物２１は、アンカーボルト４２を介して一体化しており、さらに柱脚金物２１と柱５１は、柱用ボルト３８を介して一体化しており、柱５１の据え付けが不安定化することはない。ただし柱脚金物２１の上下に隙間が生じることから、その分だけ剛性は低下する。
【００４１】
柱脚金物２１が浮き上がった後、荷重の方向が変化すると、柱５１が柱脚金物２１を押し付け、図の下方に描くように、アンカーボルト４２や柱用ボルト３８が押し潰され、柱脚金物２１の上下の隙間がなくなり、ひずみが生じる前の状態に復元する。そのため過大な引張荷重が作用した後も、建築物の安全性を一貫して維持できる。さらに地震に遭遇した際は、アンカーボルト４２の弾塑性変形が強制的に繰り返され、より多くのエネルギーを吸収できる。
【００４２】
図６は、図１とは異なる拘束具の形状と、その使用状態を示している。この図では、柱５１を柱脚金物２２に固定するため、柱５１の四隅に小径のラグスクリュー３２をねじ込んでいる。このラグスクリュー３２は、図１などに描くものよりも小径で、下端部にオネジ３６を形成してある。施工時は、柱５１の下穴５２にラグスクリュー３２をねじ込み、そのオネジ３６を柱脚金物２２の丸孔２７に差し込み、オネジ３６の先端に上ナット３７を螺合させて締め付けると、柱脚金物２２と柱５１が一体化する。
【００４３】
この図において、アンカーボルト４２を差し込むための抜き孔２６は、底板２３の中心線上に位置している。しかし、ラグスクリュー３２のオネジ３６を差し込むための丸孔２７は、天板２５の四隅に位置している。そのため押圧体１２の上面には、図１などのような凹部１３が不要で、単純な平面となっている。また突起１５は、角形としている。そのほかこの図の柱脚金物２２は、ラグスクリュー３２の配置などを考慮して、直立板２４を内寄りに配置してある。なお、アンカーボルト４２に主ナット４５を螺合させて柱脚金物２２を据え付ける点や、拘束具の効果などは、これまでの各図と同じである。
【００４４】
図７は、図６の柱５１を据え付けていく過程を示している。なお柱脚金物２２と柱５１は、内部構造を把握できるよう、ラグスクリュー３２などの中心を切断線とした縦断面図としている。図の右上に描くように、柱５１にねじ込んだラグスクリュー３２のオネジ３６に上ナット３７を螺合させて、柱脚金物２２と柱５１を一体化して、さらにアンカーボルト４２に主ナット４５を螺合させて締め付けると、柱５１の据え付けが完了する。この図では、アンカーボルト４２とラグスクリュー３２が離れており、アンカーボルト４２と天板２５との間には、何も配置されていない。
【００４５】
次に、アンカーボルト４２の先端に副ナット１９を螺合させ、さらに押圧体１２を柱脚金物２２の側方から水平方向に移動させて、アンカーボルト４２の真上に押圧体１２を配置する。その後、副ナット１９を回転させて上方に移動させると、図の左下に描くように、押圧体１２は、副ナット１９と天板２５で挟み込まれ、脱落不能になる。同時に、押圧体１２と副ナット１９を介してアンカーボルト４２が押し下げられる。そのためアンカーボルト４２にひずみが生じた場合でも、大ワッシャと４３と底板２３は密着状態を維持して、柱脚金物２２の緩みを防止できる。なお押圧体１２の突起１５は、副ナット１９の中心に入り込んでおり、押圧体１２の脱落を防止する。
【符号の説明】
【００４６】
１１  押圧体（凹部あり）
１２  押圧体（凹部なし）
１３  凹部
１４  窓
１５  突起
１９  副ナット
２１  柱脚金物（直立板を外寄りに配置）
２２  柱脚金物（直立板を内寄りに配置）
２３  底板
２４  直立板
２５  天板
２６  抜き孔
２７  丸孔
３１  ラグスクリュー（大径の方）
３２  ラグスクリュー（小径の方）
３３  凸条
３４  メネジ
３５  六角部
３６  オネジ
３７  上ナット
３８  柱用ボルト
４１  基礎コンクリート
４２  アンカーボルト
４３  大ワッシャ
４４  小ワッシャ
４５  主ナット
５１  柱
５２  下穴
【図１】
2014185497.tif 000003
【図２】
2014185497.tif 000004
【図３】
2014185497.tif 000005
【図４】
2014185497.tif 000006
【図５】
2014185497.tif 000007
【図６】
2014185497.tif 000008
【図７】
2014185497.tif 000009